(57)【要約】【課題】紙媒体に近い使用感で使える電子文書の表示装置を提供する。【解決手段】複数のシート状表示媒体を用いて電子文書を画面に表示する表示装置において、電子文書のデータを記憶する記憶部と、表裏にそれぞれ二次元のページ画面を表示する、複数のシート状表示媒体と、上記複数のシート状表示媒体を積層状態で開閉できるように、各シート状表示媒体の一端部側を保持するバインド部と、記憶された上記電子文書のデータを画像信号に変換して上記シート状表示媒体に供給して上記電子文書の内容を上記ページ画面に表示させる制御部と、を備え、上記制御部は、上記電子文書のページ数が上記複数のシート状表示媒体によって表示可能なページ画面数を超えるとき、上記シート状表示媒体のページ画面表示を上記電子文書の１ページ表示から複数ページ表示に切換える。【選択図】図１
2011170158.tif 000002
【特許請求の範囲】
【請求項１】
複数のシート状表示媒体を用いて電子文書を画面に表示する表示装置であって、
電子文書のデータを記憶する記憶部と、
表裏にそれぞれ二次元のページ画面を表示する、複数のシート状表示媒体と、
前記複数のシート状表示媒体を積層状態で開閉できるように、各シート状表示媒体の一端部側を保持するバインド部と、
記憶された前記電子文書のデータを画像信号に変換して前記シート状表示媒体に供給して前記電子文書の内容を前記ページ画面に表示させる制御部と、を備え、
前記制御部は、前記電子文書のページ数が前記複数のシート状表示媒体によって表示可能なページ画面数を超えるとき、前記シート状表示媒体のページ画面表示を前記電子文書の１ページ表示から複数ページ表示に切換える、
ことを特徴とする電子文書の表示装置。
【請求項２】
更に、前記シート状表示媒体の開閉状態を検出するセンサを備え、
前記制御手段は、前記センサの出力に基づいて前記シート状表示媒体のページ画面表示のオンオフを制御する、ことを特徴とする請求項１に記載の電子文書の表示装置。
【請求項３】
前記制御手段は、前記複数のシート状表示媒体のうち開いているページ画面を発光させ、閉じているページ画面を非発光とする、ことを特徴とする請求項２に記載の電子文書の表示装置。
【請求項４】
前記シート状表示媒体は、遮光体を間に介して背中合わせに配置された２つのシート状の有機ＥＬディスプレイを含む、ことを特徴とする請求項１乃至３のいずれかに記載の電子文書の表示装置。
【請求項５】
前記センサは前記シート状表示媒体に配置される、ことを特徴とする請求項２乃至４のいずれかに記載の電子文書の表示装置。
【請求項６】
前記複数ページ表示への切換は、１つのページ画面に電子文書の２ページ分の画面表示又は４ページ分の画面表示とするものである、請求項１に記載の電子文書の表示装置。
【発明の詳細な説明】
【技術分野】
【０００１】
本発明は、電子文書を閲覧するための表示装置に関し、特に、紙媒体に近い使用感を備える電子文書の表示装置を提供するものである。
【背景技術】
【０００２】
従来紙媒体によって提供されてきた書籍類などがデジタル情報化され、いわゆる電子文書として提供されるようになってきている。この電子文書を閲覧するために、パソコン、電子ブック、携帯電話、電子辞書などの画像（画面）表示器を使用している。これ等の電子機器の画像表示器は通常１つであり、ビューアソフトを用いて画面を縦方向や横方向にスクロールしながら読み進めている。
【０００３】
例えば、特開2006-047408公報には、手帳のような構造体に、シート状の表示媒体として、有機ＥＬディスプレイ、液晶ディスプレイ、電気泳動ディスプレイ及び紙を積層してバインダーで綴じるようにした表示装置が提案されている。そして、用途に応じて表示媒体を選択できるようにして使用者の便宜を図っている。
【先行技術文献】
【特許文献】
【０００４】
【特許文献１】特開2006-047408号公報
【発明の概要】
【発明が解決しようとする課題】
【０００５】
上述した表示装置の例では、有機ＥＬディスプレイを含んだ３種類のディスプレイを備え、電子文書の内容に最適なディスプレイを選択して文書を表示する。
【０００６】
しかしながら、１つの電子文書を紙媒体のように複数ページに渡って表示し、閲覧することはできず、閲覧ページから他のページに間を飛ばして直接移動することもできない。電子文書の複数ページを同時に閲覧したい場合には、例えば、縦スクロールで何度も画面を上下に移動させなければならず、手間が掛かる。
【０００７】
一方、電子文書を紙媒体に印刷して閲覧する場合は、見やすいが、印刷費用が掛かり紙資源を消費する。
【０００８】
よって、本発明は紙媒体に近い使用感で使える電子文書の表示装置を提供することを目的とする。
【課題を解決するための手段】
【０００９】
上記課題を達成する本発明の一態様は、複数のシート状表示媒体を用いて電子文書を画面に表示する表示装置において、電子文書のデータを記憶する記憶部と、表裏にそれぞれ二次元のページ画面を表示する、複数のシート状表示媒体と、上記複数のシート状表示媒体を積層状態で開閉できるように、各シート状表示媒体の一端部側を保持するバインド部と、記憶された上記電子文書のデータを画像信号に変換して上記シート状表示媒体に供給して上記電子文書の内容を上記ページ画面に表示させる制御部と、を備え、上記制御部は、上記電子文書のページ数が上記複数のシート状表示媒体によって表示可能なページ画面数を超えるとき、上記シート状表示媒体のページ画面表示を上記電子文書の１ページ表示から複数ページ表示に切換える。
【００１０】
かかる構成とすることによって、本と類似構造の表示装置において、電子文書のページ数が予め表示装置に設けられたページ画面数を超える場合であっても、電子文書の全ページ数を収容し、表示することが可能となって具合がよい。それにより、シート状表示媒体を紙の本のようにぱらぱらめくって所望のページを閲覧することができる。
【００１１】
更に、上記シート状表示媒体の開閉状態を検出するセンサを備え、上記制御手段は、上記センサの出力に基づいて上記シート状表示媒体のページ画面表示のオンオフを制御することが望ましい。それによって、開いているページだけを表示して表示装置の電力消費を軽減する。
【００１２】
上記制御手段は、上記複数のシート状表示媒体のうち開いているページ画面を発光させ、閉じているページ画面を非発光とする、ことが望ましい。それにより、表示装置の電力消費を軽減し、発光体の寿命を延ばす。
【００１３】
上記シート状表示媒体は、遮光体を間に介して背中合わせに配置された２つのシート状の有機ＥＬディスプレイを含むことが望ましい。それにより、明るくきれいな画面が得られ、応答が早いので動画をスムースに表示できる。また、電気泳動表示装置のように帯電粒子の移動を伴うものではないので、表示装置の向き（縦置き、横置き）による重力の影響を受けない。
【００１４】
上複数ページ表示への切換は、１つのページ画面に電子文書の２ページ分の画面表示又は４ページ分の画面表示を行うものであることが望ましい。画面の割り付けが容易である。
【発明の効果】
【００１５】
本願発明の電子文書の表示装置によれば、通常の紙文書と同じ感覚でめくって使うディスプレイが得られる。印刷本のように、複数ページを同時に閲覧したり、直前、直後以外のページに直接移動したりすることが可能である。また、ページ画面の表示形式を適宜変更可能であるので、電子文書のページ数が表示装置が実装するページ画面数を超えるとき（ページ画面数が不足の場合）でも、全ページを表示することが可能となる。
【図面の簡単な説明】
【００１６】
【図１】本発明の電子文書の表示装置の例を説明する説明図である。
【図２】本発明の電子文書の表示装置の例を説明する説明図（正面図）である。
【図３】本発明の電子文書の表示装置の例を説明する説明図（右側面図）である。
【図４】本発明の電子文書の表示装置の例を説明する説明図（左側面図）である。
【図５】ページ画面への表示形式の例（２ページ表示）を説明する説明図である。
【図６】ページ画面への表示形式の例（４ページ表示）を説明する説明図である。
【図７】電子文書の表示装置の使用例を説明する説明図である。
【図８】電子文書の表示装置の制御系を説明する説明図である。
【図９】制御系の動作例（ファイル表示）を説明するフローチャートである。
【図１０】表示装置に記憶される電子文書情報の例を説明する説明図である。
【図１１】制御系の動作例（電子文書表示）を説明するフローチャートである。
【図１２】表示装置に記憶される使用者の指示情報の例を説明する説明図である。
【発明を実施するための形態】
【００１７】
本発明に電子文書の表示装置は、複数の表示器（表示媒体）を本の各ページに対応づけて使用するので通常の紙文書と同じ感覚で１ページずつめくって使用することができ、複数ページを同時に閲覧したり、直前、直後以外のページに直接移動したりすることが可能である。
【００１８】
表示装置には複数のシート状の表示器（表示媒体）が用いられ、好適には、シート状表示器は表裏にページ画面を表示できるように背中合わせで配置された２枚の有機ＥＬディスプレイが使用される。帯電粒子の電気泳動を利用するシート状の電気泳動表示器（いわゆる電子ペーパー）を用いても良い。シート状表示器を複数重ねてバインダー形式に束ねて本に類似する構造に構成する。
【００１９】
シート状表示器の片面（ページ画面）は電子文書の１ページ分を表示する。電子文書の1ページに対して実際のシート状表示器の1つのページ画面を1つ割り当てて表示する。電子文書のページ数が表示装置の表示可能なページ数（ページ画面数）を超えるとき、シート状表示器に電子文書の複数ページを表示可能としている。
【００２０】
また、現在開いているページ以外、シート状表示器（例えば、有機ＥＬディスプレイ）を発光させないように制御している。
【実施例１】
【００２１】
本発明の実施例について、図面を参照して説明する。
表示装置１は、図１（Ａ）に示すように、複数のシート状表示器２が積層され、バインダー（留め具）１０によって片側が綴じられている。ここで、綴じられているとは、本のように複数のシート状表示器２の片側がバインダー１０で保持（あるいは固定）されていることを意味し、糸で固定されていることを意味するものではない。
【００２２】
シート状表示器２には、ページの開閉を検出するセンサ２０がページ画面１１（あるいは１２）の上端部に取り付けられている。例えば、シート状表示器２は、２つの有機ＥＬディスプレイの間にシート状の遮断体（遮光フィルム）３０を挟んで背中合わせで張り合わせ、シート状表示器２の表裏にそれぞれページ画面１１と画面１２とを形成する。遮断体３０は表裏に配置された２枚のディスプレイの光がお互いに干渉することを防ぐ。
【００２３】
センサ２０は現在そのページ画面が開いた状態であるか、それとも閉じた状態であるかを識別するために使用される。例えば、光センサを使用することが出来る。後述のように、このセンサ２０の出力により、ページが開いた状態である場合のみ該当面のディスプレイが発光するように制御することができる。
【００２４】
このようなシート状表示器２を複数枚重ねてバインダー１０で固定する。なお、シート状表示器２を着脱可能とし、増設することができるようにしても良い。
【００２５】
図１（Ａ）に示すように、表示装置（疑似本）を開いた状態では、シート状表示器２（左側）のページ画面１１と全く同じ形状のシート状表示器２（右側）ページ画面１２が横に並べられる。電子文書を表示するときは、例えば、電子文書の１ページ目をシート状表示器２（左側）のページ画面の表側（図１の見えていない面）に表示したとすると、２ページ目をシート状表示器２（左側）のページ画面１１の裏側（図１の見えている面）に表示する。３ページ目をシート状表示器２（右側）のページ画面１２の表側（図１の見えている面）に表示する…、の如くして順次表示する。
【００２６】
図１（Ｂ）に示すように、表示装置１は、積層され片側で保持された複数のシート状表示器（例えば、有機ＥＬディスプレイ）に、表紙４０、背表紙４２、裏表紙４１からなるカバーが取り付けられ、表紙４０には閲覧する電子文書を選択するためのタッチパネル４３が設けられ、裏表紙４１にはシート状のバッテリー４４、電子文書の表示等を制御する制御部１００として機能するコンピュータシステムが内蔵されている。
【００２７】
コンピュータシステムは、特に図示しないが、ＣＰＵ、ＲＯＭ、ＲＡＭ、入出力インタフェース、表示インタフェース、通信インタフェース、タッチパネルインタフェース等によって構成される。これ等のものは市販品を使用することが出来る。
【００２８】
（実施例の動作の説明）
次に、図１乃至図４、図７を参照して、本発明の実施例の概略動作について説明する。
【００２９】
まず、図２示すように、利用者は、裏表紙４１の側面にある充電用電源プラグ差込口４５にプラグを接続し、裏表紙４１側に取り付けたバッテリー４４（図３参照）を充電する。また、図示しないパーソナルコンピュータ（ＰＣ）上のデータを着脱式記憶装置（例えば、ＵＳＢメモリ、ＳＤカードなど）にコピーし、それを差込口４６に接続してデータを表示装置１に移す（図８参照）。
【００３０】
次に、図４に示されるように、表示装置１に移した電子文書のファイル名一覧が表紙４０に取り付けられたタッチパネル４３に表示されるので、使用者はその中から表示したい文書を選択する。
【００３１】
表紙４０をめくった次の両面ディスプレイがシート状表示器の表ページ画面であったとすると、このページ画面に文書の１ページ目、遮断体３０を挟んだ裏ページ画面（図１でページ画面１１の見えている側）に文書の２ページ目を表示し、その続きはページ画面１２の表側（図１で画面１２の見えている側）、ページ画面１２の裏側の順で表示する。さらにその続きのページはページ画面１２をめくった先の画面に表示する。表裏で表示を行うシート状表示器２の片面のページ画面につき電子文書の１ページを割り当て、次々と表示する（図１参照）。
【００３２】
なお、電子文書の各ページはシート状表示器２の各ページ画面（表裏）にそれぞれ割り当てられるが、実際に可視的表示を行うのは、制御部が各ページ画面上のセンサ２０の出力により現在該当ページが開いた状態であると判断した場合のみとし、現在閉じられたページだと判断した場合は、当該ページのディスプレイは発光させない（図１１参照）。
【００３３】
図７は、以上の実施例の手順を図によるフローで示している。
【００３４】
次に、上記表示装置１の動作を制御する制御部の動作について図８乃至図１２を参照して説明する。図８は、コンピュータシステムと制御プログラム等によって構成される制御部１００を機能ブロック図で示している。図９及び図１１は、処理の手順を示すフローチャートである。図１０は電子文書情報の構成例を示す説明図である。図１２は、使用者の指示情報の例を説明する説明図である。
【００３５】
まず、図８に示すように、使用者は、表示装置１とは別途のパーソナルコンピュータに保存されている電子文書を着脱式記憶装置１０２にコピーする（図９のＳ１０２ａ）。このとき、着脱式記憶装置１０２の直下に「DOC」フォルダが作成され（Ｓ１０２ｂ）、その配下に電子文書が格納される（Ｓ１０２ｃ）。例えば、着脱式記憶装置が接続されたドライブをＦドライブと仮定すると、「F:\DOC\電子文書ファイル名」となる。
【００３６】
電子文書がコピーされた着脱式記憶装置１０２が表示装置１の差込口４６に接続されると、文書情報取得部１０４が着脱式記憶装置１０２から電子文書の情報を取得する（Ｓ１０４）。取得した情報は文書情報格納部１０６で管理（記憶）する。文書ファイル名取得部１０８では文書情報格納部１０６が管理する電子文書情報からそれぞれファイル名のみを取り出し、文書ファイル名一覧生成部１１０でファイル名の昇順に並び替え、ファイルのリストを作成する（Ｓ１１０）。
【００３７】
作成したリストに対して、更新日時取得部１１２で文書情報格納部１０６が管理する電子文書情報から更新日時のみを取り出し（Ｓ１１２）、更新日時付加部１１４でファイル名リストに更新日時情報を付加する（Ｓ１１４）。文書ファイル名一覧表示部１１６はこのリストを図４に示すタッチパネル４３に表示する（Ｓ１１６）。
【００３８】
表示された（文書ファイル名、更新日時からなる）ファイル名リストに対して、使用者はタッチパネル４３から各種の指示をすると（Ｓ１１８ａ：ＹＥＳ）、例えば、この指示に対応して表示一覧並び替え部１１８は文書ファイル名、更新日時の２種類の基準に対して昇順、降順で並び替えを行い（Ｓ１１８ｂ）、文書ファイル名一覧表示部１１６で再表示する（Ｓ１１８ｃ）。使用者の指示がない場合（Ｓ１１８ａ：ＮＯ）、ファイルの並び替えなどは行わない。
【００３９】
図１０は、上述の手順において取得した電子文書情報の例を示している。ファイル名、属性、ファイルのサイズ、ファイルの更新日時などの電子文書情報が文書情報格納部１０４に記憶される。
【００４０】
その後、使用者は表示装置１のタッチパネル４３の表示を見て閲覧したい電子文書や表示方法（２アップ表示（図５参照）、４アップ表示（図６参照）等）を選択する。
【００４１】
選択された電子文書や表示方法の情報は、ユーザ指示受付部１２０で解析され（図１１のＳ１２０）、ユーザ指示伝達部１２２を通して文書情報格納部１０６に伝えられ（Ｓ１２２）、表示文書決定部１２４で閲覧対象の電子ファイルが確定される（Ｓ１２４）。
【００４２】
図１２は、文書情報格納部１０６に格納されるユーザー指示情報（上記ステップ１２０で取得したユーザ指示の解析結果）の例を示す。
【００４３】
閲覧対象となった電子ファイルは、表示文書内容格納部１２６に格納（コピー）される（Ｓ１２６）。表示変換部１２８は、格納された電子ファイル（電子文書）のデータを画像（印刷イメージあるいは画面表示ビットマップデータ）に置き換える（Ｓ１２８ａ）。また、タッチパネルからのユーザ指示に沿って２アップ、４アップなどの表示条件（表示形式）を変更し（Ｓ１２８ｂ）、各シート状表示器へ表示すべき画像を形成し割り当てる（Ｓ１２８ｃ）。
【００４４】
また、表示変換部１２８は、予め使用者の選択可能な設定により、電子文書のページ数が表示装置１が実装する（複数のシート状表示器の）ページ画面数を超えるとき、実装するページ画面数に電子文書の全ページが収まるように、１ページ画面に電子文書のページが２アップ表示（図５参照）、３アップ表示、４アップ表示（図６参照）、…などの複数ページ表示形式で表示されるように処理を行う。
【００４５】
また、電子文書のページ数が表示装置１が実装する（複数のシート状表示器の）ページ画面数を超えるとき、（例えば、予め使用者の選択可能な設定により、）電子文書のページ数を実装しているページ画面数でＮ分割し、分割されたいずれかのページ範囲を使用者の指示に応じて複数のページ画面で表示するようにしても良い。
【００４６】
画面表示部１３０は、この画像のデータを画像信号（シート状表示器２で表示可能な信号形式）に変換して各シート状表示器（ディスプレイ）に送出する。それにより、各シート状表示器２に電子文書の内容が可視的に表示される。
【００４７】
この動作において、画面表示部１３０は、センサ２０の出力により、現在開いている状態のページ（シート状表示器２のページ画面）を判別し（Ｓ１３０ａ：ＹＥＳ）、開いているページ画面を発光させるようにシート状表示器２を制御する（Ｓ１３０ｂ）。また、開いていないページ画面を発光させないようにシート状表示器２を制御する（ｓ１３０ａ：ＮＯ，Ｓ１３０ｂ）。
【００４８】
（発明の他の実施例）
なお、上述した実施例では電子文書の導入に着脱式の記憶装置を使用したがＬＡＮを介して行っても良い。例えば、表示装置１の裏表紙４１の側面にＬＡＮケーブル差込口を用意し、パーソナルコンピュータと表示装置をＬＡＮケーブルで接続し、ネットワークを介して電子文書のデータを表示装置に移すこととしてもよい。また、ウェブの電子文書データベースからネットワークを介して電子文書のデータを表示装置に移すこととしてもよい。
【００４９】
また、電子文書の表示装置に移せる電子文書の数を1つに限定し、表紙４０からタッチパネル４３を除外したより簡易な構成の表示装置で文書を表示してもよい（図４参照）。
【００５０】
上述した実施例の電子文書の表示装置は、特に複数ページを同時に閲覧したり、直前、直後以外のページに移動したりすることが多い文書を表示する場合に紙に印刷した表示媒体と同様の使い勝手で具合がよい。例えば、マニュアルや楽譜などが該当する。
【００５１】
以上述べたように、本発明によれば、複数ページを同時に閲覧したり、直前、直後以外のページに直接移動したりすることが可能である。印刷時の用紙のようなイメージで複数のシート状表示器（ディスプレイ）の各ページ画面に文書の１ページの情報を表示し、通常の紙文書と同じ感覚でめくって使うディスプレイが得られる。そして、表示装置の表示ページ数が不足した場合には、１つのページ画面に複数ページ表示形式で全部の文書のページが表示されるので都合がよい。
【００５２】
また、使用者が開いているページ画面だけを表示状態とすることによって表示装置が消費する電力が抑制される。
【符号の説明】
【００５３】
１  電子文書の表示装置、２  シート状表示器（シート状表示媒体）、１１，１２  ページ画面、２０  センサ、３０  遮光体、４０  表表紙、４１  裏表紙、、４２  背表紙、４３  タッチパネル、４４  バッテリ、１００  制御部
【図１】
2011170158.tif 000003
【図２】
2011170158.tif 000004
【図３】
2011170158.tif 000005
【図４】
2011170158.tif 000006
【図５】
2011170158.tif 000007
【図６】
2011170158.tif 000008
【図７】
2011170158.tif 000009
【図８】
2011170158.tif 000010
【図９】
2011170158.tif 000011
【図１０】
2011170158.tif 000012
【図１１】
2011170158.tif 000013
【図１２】
2011170158.tif 000014